(57)【特許請求の範囲】
【請求項１】
フランジを有するガスメータに取り付けられるガスメータ用無線機であって、
本体部と、
前記フランジを挟持することで前記本体部を前記ガスメータに固定する挟持部とを備え、
前記挟持部は前記フランジの一方の主面を保持するとともに前記フランジの下面に当接する下爪である第１挟持片と、前記フランジの他方の主面を保持するとともに前記フランジの上面に当接する上爪である第２挟持片とを備え、
前記挟持部は、前記下爪と前記上爪とを締結する第１締結部材を備え、
前記本体部は前記ガスメータの壁面に対向する主面を有し、
前記下爪は、挟持面が前記主面と鋭角をなすように形成され、
前記上爪と前記下爪とで前記フランジを挟持することで前記本体部をガスメータ側へと付勢するように構成されている、ガスメータ用無線機。
【請求項２】
フランジを有するガスメータに取り付けられるガスメータ用無線機であって、
本体部と、
前記フランジを挟持することで前記本体部を前記ガスメータに固定する挟持部とを備え、
前記挟持部は前記フランジの一方の主面を保持するとともに前記フランジの下面に当接する下爪である第１挟持片と、前記フランジの他方の主面を保持するとともに前記フランジの上面に当接する上爪である第２挟持片とを備え、
前記挟持部は、前記下爪と前記上爪とを締結する第１締結部材を備え、
前記本体部は前記ガスメータの壁面に対向する主面を有し、
前記下爪は、挟持面が前記主面と鋭角をなすように形成され、
前記上爪は、挟持面が前記主面と鋭角をなすように形成され、
前記上爪と前記下爪とで前記フランジを挟持することで前記本体部をガスメータ側へと付勢するように構成されている、ガスメータ用無線機。
【請求項３】
前記本体部は前記ガスメータに対向する部分が平面をなすように構成され、
前記平面とガスメータの壁面とが平行となるように前記平面の端部に高さが互いに等しい突起が複数形成されている、請求項１または２に記載のガスメータ用無線機。
【請求項４】
前記上爪は前記本体部に交換可能に挿入されている、請求項１または２に記載のガスメータ用無線機。
【請求項５】
前記第１締結部材はボルトおよびナットを有する、請求項２に記載のガスメータ用無線機。
【発明の詳細な説明】
【技術分野】
【０００１】
本発明は、ガスメータ用無線機に関する。
【背景技術】
【０００２】
特許文献１は、無線自動検針システム用無線機を開示する。該無線機では、ガスメータ正面にガスの流量表示部を有し、ガスメータ上面の両側端に近い位置にそれぞれガス管接続口を有し、上面の両ガス管接続口の間のスペースに無線自動検針システム用無線子機が取り付けられる。無線子機の取付けに当っては取付け金具が用いられる。取付け金具は１枚の金属板（たとえば鉄板）から打ち抜きおよび曲げ加工によって製作される。
【先行技術文献】
【特許文献】
【０００３】
【特許文献１】特開平８−１７８７２５号公報
【発明の概要】
【発明が解決しようとする課題】
【０００４】
本発明は、簡潔な構成で容易にガスメータに取り付け可能なガスメータ用無線機を提供することを課題とする。
【課題を解決するための手段】
【０００５】
本発明者らは、ガスメータ用無線機を簡潔な構成で容易にガスメータに取り付け可能とすべく、鋭意検討を行った。その結果、以下の知見を得た。
【０００６】
ガスメータ用無線機が取り付けられるガスメータには様々な種類がある。その中には、筒状の本体のほぼ真ん中あたりに、フランジ（本体から突出する板状の構造）を有するものがある。
【０００７】
図９は、フランジを有するガスメータの概略構成の一例を示す斜視図である。図９に示すガスメータ５００は、略楕円形の断面を有する筒状の本体５０５と、本体５０５の主軸のほぼ真ん中あたりに本体５０５から突出して本体５０５を周回するように形成された板状のフランジ５１０と、ガスメータ５００の計測結果を表示する表示部５３０と、計測対象のガスが流入するガス流入口５４０と、計測対象のガスが流出するガス流出口５５０とを備えている。本体５０５の正面（表示部５３０が形成されている面）は、壁面５２０が平面をなしている。
【０００８】
そこで本発明者らは、図９に例示されるような、フランジを有するガスメータに対して、ガスメータ用無線機に該フランジを挟持する挟持部を備えるように構成することで、簡潔な構成で容易にガスメータにガスメータ用無線機を取り付けることができることに想到した。
【０００９】
すなわち第１の本発明のガスメータ用無線機は、フランジを有するガスメータに取り付けられるガスメータ用無線機であって、本体部と、前記フランジを挟持することで前記本体部を前記ガスメータに固定する挟持部とを備える。
【００１０】
かかる構成では、簡潔な構成で容易にガスメータに取り付け可能なガスメータ用無線機を提供することができる。
【００１１】
第２の本発明のガスメータ用無線機は、第１の本発明のガスメータ用無線機において、前記挟持部が前記フランジの一方の主面を保持する第１挟持片と、前記フランジの他方の主面を保持する第２挟持片とを備える。
【００１２】
第３の本発明のガスメータ用無線機は、第２の本発明のガスメータ用無線機において、前記第１挟持片が前記フランジの下面に当接する下爪であり、前記第２挟持片が前記フランジの上面に当接する上爪であり、前記挟持部は、前記下爪と前記上爪とを締結する第１締結部材を備える。
【００１３】
かかる構成では、第１締結部材により、ガスメータ用無線機がより安定的にガスメータに固定される。
【００１４】
第４の本発明のガスメータ用無線機は、第２の本発明のガスメータ用無線機において、前記第２挟持片に螺合し前記第２挟持片を貫通して前記フランジの上面に当接する第２締結部材を備え、前記第１挟持片が前記フランジの下面に当接する下爪であり、前記第２挟持片が前記締結部材を介して前記フランジの上面を保持する上爪である。
【００１５】
かかる構成では、第２締結部材により、ガスメータ用無線機がより安定的にガスメータに固定される。
【００１６】
第５の本発明のガスメータ用無線機は、第３または４の本発明のガスメータ用無線機において、前記本体部がガスメータの壁面に対向する主面を有し、前記下爪が、挟持面が前記主面と鋭角をなすように形成され、前記挟持部で前記フランジを挟持することで前記本体部をガスメータ側へと付勢するように構成されている。
【００１７】
かかる構成では、本体部がガスメータに押し付けられることで、ガスメータ用無線機がより安定的にガスメータに固定される。
【００１８】
第６の本発明のガスメータ用無線機は、第３の本発明のガスメータ用無線機において、前記本体部がガスメータの壁面に対向する主面を有し、前記下爪は、挟持面が前記主面と鋭角をなすように形成され、前記上爪は、挟持面が前記主面と鋭角をなすように形成され、前記上爪と前記下爪とで前記フランジを挟持することで前記本体部をガスメータ側へと付勢するように構成されている。
【００１９】
かかる構成では、本体部がガスメータに押し付けられることで、ガスメータ用無線機がより安定的にガスメータに固定される。
【００２０】
第７の本発明のガスメータ用無線機は、第１乃至６の本発明のガスメータ用無線機において、前記本体部は前記ガスメータに対向する部分が平面をなすように構成され、前記平面とガスメータの壁面とが平行となるように前記平面の端部に高さが互いに等しい突起が複数形成されている。
【００２１】
かかる構成では、本体部のガスメータに対向する部分がなす平面とガスメータの壁面との距離が一定となり、無線通信の性能が安定化する。
【００２２】
第８の本発明のガスメータ用無線機は、第３乃至６の本発明のガスメータ用無線機において、前記上爪が前記本体部に交換可能に挿入されている。
【００２３】
かかる構成では、フランジの厚みが大きいガスメータに対しても容易にガスメータ用無線機を取り付けることができる。
【００２４】
第９の本発明のガスメータ用無線機は、第３、６のいずれかの本発明のガスメータ用無線機において、前記第１締結部材がボルトおよびナットを有する。
【発明の効果】
【００２５】
本発明のガスメータ用無線機は、簡潔な構成で容易にガスメータに取り付けられるという効果を奏する。
【図面の簡単な説明】
【００２６】
【図１】図１は、第１実施形態の実施例にかかるガスメータ用無線機の概略構成の一例を示す側面図である。
【図２】図２は、第１実施形態の実施例にかかるガスメータ用無線機の概略構成の一例を示す斜視図である。
【図３】図３は、第１実施形態の実施例にかかるガスメータ用無線機の概略構成の一例を示す斜視図である。
【図４】図４は、第１実施形態の実施例にかかるガスメータ用無線機の概略構成の一例を示す分解図である。
【図５】図５は、第１実施形態の実施例にかかるガスメータ用無線機の取付態様の一例を示す側面図である。
【図６】図６は、第１実施形態の実施例にかかるガスメータ用無線機の取付態様の一例を示す斜視図である。
【図７】図７は、第２実施形態の実施例にかかるガスメータ用無線機の概略構成の一例を示す側面図である。
【図８】図８は、第３実施形態の実施例にかかるガスメータ用無線機の概略構成の一例を示す斜視図である。
【図９】図９は、フランジを有するガスメータの概略構成の一例を示す斜視図である。
【発明を実施するための形態】
【００２７】
（第１実施形態）
図１は、第１実施形態の実施例にかかるガスメータ用無線機の概略構成の一例を示す側面図である。図２は、第１実施形態の実施例にかかるガスメータ用無線機の概略構成の一例を示す斜視図である。図３は、第１実施形態の実施例にかかるガスメータ用無線機の概略構成の一例を示す斜視図である。図４は、第１実施形態の実施例にかかるガスメータ用無線機の概略構成の一例を示す分解図である。図５は、第１実施形態の実施例にかかるガスメータ用無線機の取付態様の一例を示す側面図である。図６は、第１実施形態の実施例にかかるガスメータ用無線機の取付態様の一例を示す斜視図である。以下、図１乃至６を参照しつつ、第１実施形態のガスメータ用無線機について説明する。
【００２８】
なお、符号は本実施形態とその実施例との対応関係をあくまで例示するために付したに過ぎず、本実施形態の流体制御弁の構成が図１に限定されるものではない。以下、他の実施形態においても同様である。
【００２９】
以下の説明では、上下などの方向を特定して記述するが、向きはあくまで説明の便宜のためであり、適宜に回転させることで方向の呼称は任意に置換されうることは言うまでもない。
【００３０】
図１乃至６に例示するように、第１実施形態のガスメータ用無線機は、フランジ５１０を有するガスメータ５００に取り付けられるガスメータ用無線機であって、本体部１０と、フランジ５１０を挟持することで本体部１０をガスメータに固定する挟持部２０とを備える。
【００３１】
かかる構成では、簡潔な構成で容易にガスメータに取り付け可能なガスメータ用無線機を提供することができる。
【００３２】
図１乃至６に例示するように、第１実施形態のガスメータ用無線機は、挟持部２０が、フランジ５１０の一方の主面を保持する第１挟持片と、フランジ５１０の他方の主面を保持する第２挟持片とを備えてもよい。
【００３３】
図１乃至６に例示するように、第１実施形態のガスメータ用無線機は、第１挟持片がフランジの下面に当接する下爪２２であり、第２挟持片がフランジ５１０の上面に当接する上爪２４であり、挟持部２０は、下爪２２と上爪２４とを締結する第１締結部材２６を備えてもよい。
【００３４】
かかる構成では、第１締結部材２６により、ガスメータ用無線機がより安定的にガスメータに固定される。
【００３５】
図１、図３および図５とに例示するように、第１実施形態のガスメータ用無線機において、本体部１０はガスメータに対向する部分（第１主面１２）が平面をなすように構成され、該平面とガスメータ５００の壁面５２０とが平行となるように該平面の端部に高さが互いに等しい突起１６が複数形成されていてもよい。
【００３６】
かかる構成では、本体部１０のガスメータに対向する部分がなす平面とガスメータ５００の壁面５２０との距離が一定となり、無線通信の性能が安定化する。
【００３７】
図４に例示するように、第１実施形態のガスメータ用無線機において、上爪２４は本体部１０に交換可能に挿入されていてもよい。
【００３８】
かかる構成では、フランジの厚みが大きいガスメータに対しても容易にガスメータ用無線機を取り付けることができる。
【００３９】
図４に例示するように、第１実施形態のガスメータ用無線機において、第１締結部材２６がボルト２７およびナット２８を有してもよい。
【００４０】
第１挟持片および第２挟持片は、フランジに当接して直接的にフランジを保持してもよいし、フランジに当接する何らかの部材を介して間接的にフランジを保持してもよい。
【００４１】
挟持部の形状はフランジを挟持できる構造であれば特に限定されない。例えば下爪が省略され、上爪と本体とでフランジが挟持されてもよい。このように、本体部に一体のものとして挟持部が形成されていてもよい。例えば、本体部が２つに分離され、それぞれの本体部の一部が挟持部を構成し、該２つの挟持部でフランジが挟持されてもよい。このように、挟持部は必ずしも爪状の形状を有しなくてもよい。あるいは、挟持部を構成するそれぞれの挟持片がネジやボルトそのものであってもよい。
【００４２】
挟持部がフランジを挟持する力は、どのようなものであってもよい。例えば、挟持部がバネを備え、バネの付勢力でフランジが挟持されてもよい。あるいは、挟持部そのものが弾性体で構成され、この弾性力でもってフランジが挟持されてもよい。
【００４３】
第１締結部材はボルトとナットに限定されず、例えばネジ穴が下爪そのものに形成されるなどの構成も採用しうる。
【００４４】
突起１６の形状は、必ずしも図３に示すような島状である必要はない。例えば、細長い峰状のものや方形のものであってもよい。
【００４５】
［実施例］
以下、図１乃至図６を参照しつつ、第１実施形態の実施例にかかるガスメータ用無線機１００の具体的な構成を詳細に説明する。
【００４６】
図３および図４に示すように、ガスメータ用無線機１００は、上端部に２本の下爪２２が形成された箱状のケース１１と、ケース１１の上端部において、それぞれの下爪２２に対応する位置に交換可能に挿入される２本の上爪２４と、下爪２２と上爪２４とを締結する第１締結部材２６として、下爪２２と上爪２４との組合せにそれぞれ対応する２本のボルト２７と２個のナット２８と、ケース１１の内部に配置される、アンテナ板１８とグランド板１９と基板９とを備えたアセンブリ１５と、電池１７と、ケース１１を封止するための蓋１３とを備えている。アンテナ板１８とグランド板１９とは、ケース１１の底面（第１主面１２）および蓋１３の主面（第２主面１４）と平行に保持される。
【００４７】
図１乃至３に示すように、ガスメータ用無線機１００は、互いに平行な第１主面１２と第２主面１４とを有する平たい直方体状（箱状）の本体部１０と、該直方体の上端部に設けられた２つの挟持部２０とを備えている。
【００４８】
図１および図５に示すように、本体部１０の上端部は、ガスメータ５００に対向する面が壁面５２０から遠ざかるようにして、厚みが薄くなっている。換言すれば、本体部１０の上端部は、ガスメータ５００に対向する面がくびれるようにして、厚みが薄くなっている。
【００４９】
本体部１０の上端からガスメータ５００側へ延びるように、下爪２２が本体部１０と一体に形成されている。上爪２４は、本体部１０の上端から上方に延び、途中からほぼ直角に曲がってガスメータ５００側へと延びるように形成されている。
【００５０】
下爪２２および上爪２４のガスメータ５００側の端は、第１主面１２がなす平面の上、あるいは該平面よりもガスメータ５００より遠い位置にある。かかる構成では、ガスメータ用無線機１００をガスメータ５００に密着させることができる。
【００５１】
図５および図６に示すように、ガスメータ用無線機１００は、ガスメータ５００の表示部５３０が設けられている側にあるフランジ５１０を挟持部２０で挟持することで、ガスメータ５００に固定される。挟持部２０がフランジ５１０を挟持すると、本体部１０は挟持部２０から鉛直下向きに懸垂する。パルスリーダ６００は表示部５３０に取り付けられる。図示されない信号線により、パルスリーダ６００とガスメータ用無線機１００とが通信可能に接続される。
【００５２】
かかる構成では、ガス管などではなくガスメータにガスメータ用無線機を直接取り付けられるので、信号線を短くでき、無線性能に影響を与えにくい。また、パルスリーダ６００とガスメータ用無線機１００とは分離されている。パルスリーダ６００のみをガスメータ５００の各機種に対応する特別仕様とすれば、ガスメータ用無線機１００そのものは汎用品とすることができる。両面テープなどでガスメータ用無線機をガスメータに取り付ける場合と異なり、ガスメータが曲面形状であっても挟持部によりガスメータ用無線機を安定して取り付けられる。係止部でもってガスメータ用無線機をフランジに係止する場合に比べ、挟持部を有するため、より安定してガスメータ用無線機をガスメータに取り付けられる。
【００５３】
図３および図５に示すように、下爪２２と上爪２４とは、上爪２４を貫通するボルト２７と、下爪２２に下側に配設されたナット２８とを締結することで、上爪２４が下爪２２側へと押し付けられるように締め付けられる。
【００５４】
かかる構成では、挟持部２０がより強固にフランジを挟持し、ガスメータ用無線機１００をより安定的ガスメータ５００に固定できる。
【００５５】
図３に示すように、本体部１０には、第１主面１２において、四隅に島状で高さの等しい突起１６が形成されている。
【００５６】
かかる構成では、第１主面１２と壁面５２０とを平行に保つことで、壁面５２０とアンテナ板１８との距離、あるいは壁面５２０とグランド板１９との距離を一定に保つことができる。例えば、壁面５２０が金属等の導電材料で構成されている場合でも、アンテナの共振周波数などを安定に保ち、通信性能を安定させることができる。
【００５７】
図４に示すように、上爪２４は本体部１０へ挿入された状態で上下に移動可能である。また、上爪２４は交換可能に本体部１０へ挿入されており、上爪２４は適宜に上下方向により長い形状を有する上爪へと交換できる。
【００５８】
かかる構成では、上爪を上下させることで、上爪と下爪との距離をフランジの厚さに合せて適宜に調整できる。ガスメータのフランジの厚みが特に大きい場合でも、上爪を交換することで、容易にガスメータ用無線機を取り付けることができる。
【００５９】
（第２実施形態）
図７は、第２実施形態の実施例にかかるガスメータ用無線機の概略構成の一例を示す側面図である。図９は、第２実施形態の実施例にかかるガスメータ用無線機が取り付けられうるガスメータの概略構成の一例を示す斜視図である。
【００６０】
図７および図９に例示されるように、第２実施形態のガスメータ用無線機は、フランジ５１０を有するガスメータ５００に取り付けられるガスメータ用無線機であって、本体部１０と、フランジ５１０を挟持することで本体部１０をガスメータに固定する挟持部３０とを備える。
【００６１】
図７および図９に例示されるように、第２実施形態のガスメータ用無線機は、挟持部３０がフランジ５１０の一方の主面を保持する第１挟持片と、フランジ５１０の他方の主面を保持する第２挟持片とを備える。
【００６２】
図７および図９に例示するように、第２実施形態のガスメータ用無線機は、第１挟持片がフランジの下面に当接する下爪３２であり、第２挟持片がフランジ５１０の上面に当接する上爪３４であり、挟持部３０は、下爪３２と上爪３４とを締結する第１締結部材２６を備えてもよい。
【００６３】
図７および図９に例示されるように、第２実施形態のガスメータ用無線機は、本体部１０がガスメータ５００の壁面５２０に対向する主面（第１主面１２）を有し、下爪３２は、挟持面３３が該主面と鋭角をなすように形成され、挟持部３０でフランジ５１０を挟持することで本体部１０をガスメータ５００側へと付勢するように構成されている。
【００６４】
あるいは図７および図９に例示されるように、ガスメータ用無線機２００は、本体部１０がガスメータ５００の壁面５２０に対向する主面（第１主面１２）を有し、下爪３２は、挟持面３３が該主面と鋭角をなすように形成され、上爪３４は、挟持面３５が該主面と鋭角をなすように形成され、下爪３２と上爪３４とでフランジ５１０を挟持することで本体部１０をガスメータ５００側へと付勢するように構成されている。
【００６５】
かかる構成では、本体部がガスメータに押し付けられることで、ガスメータ用無線機がより安定的にガスメータに固定される。
【００６６】
本実施形態においても、第１実施形態と同様の変形例が適用できる。例えば、上爪３４は本体部１０に交換可能に挿入されていてもよい。
【００６７】
［実施例］
以下、図７および図９を参照しつつ、第２実施形態の実施例にかかるガスメータ用無線機２００の具体的な構成を詳細に説明する。
【００６８】
ガスメータ用無線機２００は、挟持部２０とこれが備える下爪２２と上爪２４とが、挟持部３０およびこれが備える上爪３４と下爪３２とに置換されている点を除けば、ガスメータ用無線機１００と同様の構成を有する。よって、ガスメータ用無線機２００（図７）とガスメータ用無線機１００（図１乃至４）とで共通する要素には、同一の符号および名称を付して説明を省略する。
【００６９】
図７において、下爪３２の挟持面３３がなす平面を破線３３Ａで示し、上爪３４の挟持面３５がなす平面を破線３５Ａで示す。また、第１主面１２がなす平面と平行な平面を破線１２Ａで示す。
【００７０】
挟持面３３が第１主面１２となす角度は、破線３３Ａと破線１２Ａとがなす角度αに等しい。αは鋭角であり、α＜９０度である。このように挟持面３３の挟持面が第１主面１２と鋭角をなすことで、挟持部３０がフランジ５１０を挟持すると、本体部１０はガスメータ５００側（図７における破線の矢印Ｇの方向）へと付勢される。かかる構成では、本体部がガスメータに押し付けられることで、ガスメータ用無線機がより安定的にガスメータに固定される。
【００７１】
挟持面３５が第１主面１２となす角度は、破線３５Ａと破線１２Ａとがなす角度βに等しい。βは鋭角であり、β＜９０度である。このように下爪３２および上爪３４の挟持面が第１主面１２と鋭角をなすことで、挟持部３０がフランジ５１０を挟持すると、本体部１０はガスメータ５００側（図７における破線の矢印Ｇの方向）へとより強固に付勢される。かかる構成では、本体部がガスメータに押し付けられることで、ガスメータ用無線機がより安定的にガスメータに固定される。
【００７２】
好ましくは、α＝βである。
【００７３】
本実施例においても、上爪３４は交換可能に本体部１０に挿入されている。また、上爪３４は上下方向に移動可能である。
【００７４】
（第３実施形態）
図８は、第３実施形態の実施例にかかるガスメータ用無線機の概略構成の一例を示す斜視図である。
【００７５】
図８に例示されるように、第３実施形態のガスメータ用無線機は、フランジ５１０を有するガスメータ５００に取り付けられるガスメータ用無線機であって、本体部１０と、フランジ５１０を挟持することで本体部１０をガスメータに固定する挟持部４０とを備える。
【００７６】
図８に例示されるように、ガスメータ用無線機３００は、挟持部４０がフランジ５１０の一方の主面を保持する第１挟持片と、フランジ５１０の他方の主面を保持する第２挟持片とを備える。
【００７７】
図８に例示されるように、第３実施形態のガスメータ用無線機は、第２挟持片に螺合し第２挟持片を貫通してフランジ５１０に当接する第２締結部材（例えば、ボルト４６）を備え、第１挟持片がフランジ５１０の下面に当接する下爪４２であり、第２挟持片が第２締結部材を介してフランジ５１０の上面を保持する上爪４４である。
【００７８】
本実施形態においても、第１実施形態と同様の変形例が適用できる。例えば、上爪３４は本体部１０に交換可能に挿入されていてもよい。あるいは、本体部１０はガスメータに対向する部分（第１主面１２）が平面をなすように構成され、該平面とガスメータ５００の壁面５２０とが平行となるように該平面の端部に高さが互いに等しい突起１６が複数形成されていてもよい。
【００７９】
ガスメータ用無線機３００において、本体部１０がガスメータ５００の壁面５２０に対向する主面（第１主面１２）を有し、下爪４２が、挟持面３３が該主面と鋭角をなすように形成され、下爪４２と上爪４４とでフランジ５１０を挟持することで本体部１０をガスメータ５００側へと付勢するように構成されていてもよい。
【００８０】
［実施例］
以下、図８および図９を参照しつつ、第３実施形態の実施例にかかるガスメータ用無線機３００の具体的な構成を詳細に説明する。
【００８１】
ガスメータ用無線機３００は、挟持部２０とこれが備える下爪２２と上爪２４と第１締結部材２６とが、挟持部４０およびこれが備える下爪４２と上爪４４とボルト４６とネジ４８に置換されている点を除けば、ガスメータ用無線機１００と同様の構成を有する。よって、ガスメータ用無線機３００（図８）とガスメータ用無線機１００（図１乃至４）とで共通する要素には、同一の符号および名称を付して説明を省略する。
【００８２】
下爪４２は、下爪２２と同様にケース１１（本体部１０）と一体に形成されている。ただし、下爪４２は本体部１０の上端から、ガスメータに向かって斜め上方に延びるように形成されている。下爪４２は、フランジ５１０の下面に当接する。
【００８３】
上爪４４は、上下に移動可能かつ交換可能に、本体部１０に挿入されている。下爪４２の基部には図示されないネジ穴が形成されており、上爪４４の下端部に形成されたスリットを貫通するネジ４８（第３締結部材）が該ネジ穴に螺合する。かかる構成により、上爪４４は任意の高さで下爪４２の上方に固定される。上爪４４のガスメータ側の端部にはネジ穴が形成されており、該ネジ穴にボルト４６が螺合してボルト４６が上爪４４を貫通している。ボルト４６の下端はフランジ５１０の上面に当接する。
【００８４】
かかる構成では、下爪４２がフランジ５１０の一方の主面（下面）と当接し、ボルト４６がフランジ５１０の他方の主面（上面）と当接し、第１挟持片である下爪と、第２挟持片である上爪とでフランジ５１０が挟持される。換言すれば、上爪４４と下爪４２とはボルト４６を介して間接的にフランジ５１０を挟持する。
【００８５】
上記説明から、当業者にとっては、本発明の多くの改良や他の実施形態が明らかである。従って、上記説明は、例示としてのみ解釈されるべきであり、本発明を実行する最良の態様を当業者に教示する目的で提供されたものである。本発明の精神を逸脱することなく、その構造及び／又は機能の詳細を実質的に変更できる。
【産業上の利用可能性】
【００８６】
本発明のガスメータ用無線機は、簡潔な構成で容易にガスメータに取り付け可能なガスメータ用無線機として有用である。
【符号の説明】
【００８７】
９  基板
１０  本体部
１１  ケース
１２  第１主面
１３  蓋
１４  第２主面
１６  突起
１８  アンテナ板
１９  グランド板
２０  挟持部
２２  下爪
２４  上爪
２６  第１締結部材
２８  ナット
３０  挟持部
３２  下爪
３３  挟持面
３４  上爪
３５  挟持面
４０  挟持部
４２  下爪
４４  上爪
４６  ボルト
４８  ネジ
１００  ガスメータ用無線機
２００  ガスメータ用無線機
３００  ガスメータ用無線機
５００  ガスメータ
５０５  本体
５１０  フランジ
５２０  壁面
５３０  表示部
５４０  ガス流入口
５５０  ガス流出口
６００  パルスリーダ
【図１】
0005520205.tif 000002
【図２】
0005520205.tif 000003
【図３】
0005520205.tif 000004
【図４】
0005520205.tif 000005
【図５】
0005520205.tif 000006
【図６】
0005520205.tif 000007
【図７】
0005520205.tif 000008
【図８】
0005520205.tif 000009
【図９】
0005520205.tif 000010